(57)【要約】【課題】  いずれかの電源系統に電源を供給する電源手段で自動復帰できない異常が発生したことを特定して、特定の電源手段に対してオン／オフ制御が繰り返されてしまうことを防止する。【解決手段】    第１の電源系統に第１の電源を供給する第１の電源手段と、前記２の電源系統に第２の電源を供給する第２の電源手段と、前記第２の電源手段で生成される電源から第３の電源系統に第３の電源を供給する第３の電源手段と、を備える画像形成装置において、第１の電源手段が供給する第１の電源の電源状態と、第３の電源の電源状態とから特定の電源異常が発生していると判断した場合、第２の電源手段の電源供給状態をオフ状態に遷移させることを特徴とする。【選択図】  図４
2015104842.tif 000002
【特許請求の範囲】
【請求項１】
第１の電源系統に第１の電源を供給する第１の電源手段と、
第２の電源系統に第２の電源を供給する第２の電源手段と、
前記第２の電源手段で生成される電源から第３の電源系統に第３の電源を供給する第３の電源手段と、
前記第１の電源手段による前記第１の電源の電源状態を監視して正常であるかどうかを監視する第１の監視手段と、
前記第３の電源手段による前記第３の電源の電源状態を監視して正常であるかどうかを監視する第２の監視手段と、
前記第１の監視手段が監視する前記第１の電源手段が供給する第１の電源の電源状態と、前記第２の監視手段が監視する前記第３の電源の電源状態とから特定の電源異常が発生しているかどうかを判断する判断手段と、
前記判断手段が特定の電源異常が発生していると判断した場合、前記第２の電源手段の電源供給状態をオフ状態に遷移させ、
前記判断手段が特定の電源異常が発生していないと判断した場合、前記第１の電源手段、前記第２の電源手段、前記第３の電源手段の電源供給状態をオフ状態からオン状態に復帰させる制御手段と、
を備えることを特徴とする画像形成装置。
【請求項２】
第１の電源系統に第１の電源を供給する第１の電源手段と、
第２の電源系統に第２の電源を供給する第２の電源手段と、
前記第２の電源手段で生成される電源から第３の電源系統に第３の電源を供給する第３の電源手段と、
前記第１の電源手段により前記第１の電源の電源状態を監視して正常であるかどうかを監視する第１の監視手段と、
前記第３の電源手段により前記第３の電源の電源状態を監視して正常であるかどうかを監視する第２の監視手段と、
前記第１の監視手段が監視する前記第１の電源手段が供給する第１の電源の電源状態と、前記第２の監視手段が監視する前記第３の電源の電源状態とから自動復帰できる特定の電源異常が発生しているかどうかを判断する判断手段と、
前記判断手段が特定の電源異常が発生していると判断した場合、前記第２の電源手段の電源供給状態をオフ状態に遷移させ、
前記判断手段が特定の電源異常が発生していないと判断した場合、前記第１の電源手段、前記第２の電源手段をオフ状態からオン状態に切り換える制御手段と、
を備えることを特徴とする画像形成装置。
【請求項３】
前記制御手段により前記第２の電源手段をオフ状態からオン状態に切り換えた場合、前記第２の監視手段が監視する前記第３の電源手段による前記第３の電源の電源状態が正常であるかどうかを判定する判定手段と、を備え
前記判定手段が前記第２の監視手段が監視する前記第３の電源手段による前記第３の電源の電源状態が正常でないと判定した場合、前記制御手段は、前記第２の電源手段の電源供給状態をオフ状態に遷移させることを特徴とする請求項２記載の画像形成装置。
【請求項４】
前記判定手段が前記第２の監視手段が監視する前記第３の電源手段による前記第３の電源の電源状態が正常であると判定した場合、前記第２の監視手段が監視する前記第２の電源の監視状態の変化を特定する遷移パターンを記憶する記憶手段を備える請求項３記載の画像形成装置。
【請求項５】
前記制御手段は、リレースイッチを介して前記第２の電源手段の電源供給状態をオフ状態に遷移させることを特徴とする請求項３記載の画像形成装置。
【請求項６】
前記第２の電源の電位は、第３の電源および第１の電源の電位よりも高いことを特徴とする請求項１記載の画像形成装置。
する
【請求項７】
前記第１の電源の電位は、第３の電源の電位よりも低いことを特徴とする請求項１記載の画像形成装置。
【請求項８】
第１の電源系統に第１の電源を供給する第１の電源手段と、第２の電源系統に第２の電源を供給する第２の電源手段と、前記第２の電源手段で生成される電源から第３の電源系統に第３の電源を供給する第３の電源手段と、を備える画像形成装置の制御方法であって、
前記第１の電源手段による前記第１の電源の電源状態を監視して正常であるかどうかを監視する第１の監視工程と、
前記第３の電源手段による前記第３の電源の電源状態を監視して正常であるかどうかを監視する第２の監視工程と、
前記第１の監視工程が監視する前記第１の電源手段が供給する第１の電源の電源状態と、前記第２の監視工程が監視する前記第３の電源の電源状態とから特定の電源異常が発生しているかどうかを判断する判断工程と、
前記判断工程が特定の電源異常が発生していると判断した場合、前記第２の電源手段の電源供給状態をオフ状態に遷移させ、
前記判断工程が特定の電源異常が発生していないと判断した場合、前記第１の電源手段、前記第２の電源手段、前記第３の電源手段の電源供給状態をオフ状態からオン状態に復帰させる制御工程と、
を備えることを特徴とする画像形成装置の制御方法。
【請求項９】
請求項８記載の画像形成装置の制御方法の各工程をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
画像形成装置は、ユーザーによる電源ＯＮ時、または省電力モードから省電力モードからの起動時に予め決められた箇所に通電を行い、起動の処理を行う。しかし、電源ＯＮ時や省電力モードからの起動時には、電源回路の起動や通電箇所の負荷に応じて突入電流が発生する。
商用電源では、安定して電力を供給できない場合がある。例えば、停電時や瞬間的な電圧降下、電源投入時の電圧の過渡状態などでは、後段に接続された機器に対して、安定して電力を供給することができない。
このような商用電源の状態では、画像形成装置の突入電流により、画像形成装置内部の電源回路において、過電流保護やＵＶＬＯ（Ｕｎｄｅｒ  Ｖｏｌｔａｇｅ  Ｌｏｃｋ  Ｏｕｔ）などの保護機能が働き、電源回路の出力が停止したままとなってしまうことがある。
これらの保護機能は、機器の安全のため、異常を検知した場合には出力を停止し、ラッチするものである。そのため、出力が停止したままとなってしまい、復帰させるためには、電源回路の電源を入れ直す必要がある。
例えば、特許文献１に記載された発明では、商用電源の電源供給に異常が発生した場合に、商用電源の異常を検知し、商用電源からの電源供給が回復した際に商用電源の異常の有無と機器状態に応じて、自動復帰処理を行なうものがある。
【先行技術文献】
【特許文献】
【０００３】
【特許文献１】特開２００９−２１３０４２号公報
【発明の概要】
【発明が解決しようとする課題】
【０００４】
しかしながら、特許文献１に記載された発明において、商用電源の異常に伴って機器内の電源回路に発生した異常が、ＯＦＦ／ＯＮを行なっても自動復帰ができないような電源回路の異常の場合、自動復帰処理によって無意味なＯＦＦ／ＯＮ動作を繰り返えしてしまう等の課題があった。
【０００５】
本発明は、上記の課題を解決するためになされたもので、本発明の目的は、いずれかの電源系統に電源を供給する電源手段で自動復帰できない異常が発生したことを特定して、特定の電源手段に対してオン／オフ制御が繰り返されてしまうことを防止できる仕組みを提供することである。
【課題を解決するための手段】
【０００６】
上記目的を達成する本発明の画像形成装置は以下に示す構成を備える。
第１の電源系統に第１の電源を供給する第１の電源手段と、２の電源系統に第２の電源を供給する第２の電源手段と、前記第２の電源手段で生成される電源から第３の電源系統に第３の電源を供給する第３の電源手段と、前記第１の電源手段による前記第１の電源の電源状態を監視して正常であるかどうかを監視する第１の監視手段と、前記第３の電源手段による前記第３の電源の電源状態を監視して正常であるかどうかを監視する第２の監視手段と、前記第１の監視手段が監視する前記第１の電源手段が供給する第１の電源の電源状態と、前記第２の監視手段が監視する前記第３の電源の電源状態とから特定の電源異常が発生しているかどうかを判断する判断手段と、前記判断手段が特定の電源異常が発生していると判断した場合、前記第２の電源手段の電源供給状態をオフ状態に遷移させ、前記判断手段が特定の電源異常が発生していないと判断した場合、前記第１の電源手段、前記第２の電源手段、前記第３の電源手段の電源供給状態をオフ状態からオン状態に復帰させる制御手段と、を備えることを特徴とする。
【発明の効果】
【０００７】
本発明によれば、いずれかの電源系統に電源を供給する電源手段で自動復帰できない異常が発生したことを特定して、特定の電源手段に対してオン／オフ制御が繰り返されてしまうことを防止できる。
【図面の簡単な説明】
【０００８】
【図１】画像形成システムの一例を示す図である。
【図２】画像形成装置の制御構成を説明するブロック図である。
【図３】画像形成システムの電源ブロックの構成を説明するブロック図である。
【図４】画像形成装置の制御方法を説明するフローチャートである。
【図５】画像形成装置の制御方法を説明するフローチャートである。
【発明を実施するための形態】
【０００９】
次に本発明を実施するための最良の形態について図面を参照して説明する。
＜システム構成の説明＞
〔第１実施形態〕
図１は、本実施形態を示す画像形成システムの一例を示す図である。本例は、ネットワーク上に画像形成装置と、サーバ装置やクライアントＰＣが接続されるシステム例である。
図１において、画像印刷ユニット１０１は、各種の入力データを処理し、記録用紙上に画像印刷を行う。フィニッシングユニット１０２は、出力される印刷物を所望の出力形態に合わせてソート、ステイプル、折りなどを行うフィニッシングユニットである。
読み取り装置１０３は、原稿を読み取って原稿画像を取得する。プリントサーバ１０５は、ネットワーク１０４を介して接続されたクライアントＰＣ１０６からの印刷要求を受け、プリントジョブを画像印刷ユニット１０１へ送信する。画像印刷ユニット１０１は、ネットワーク１０４を介してプリントサーバ１０５やクライアントＰＣ１０６などと接続されている。
ユーザーはクライアントＰＣ１０６において、画像の印刷を行うべくプリントジョブを作成し、印刷処理を実行する。これにより、プリントジョブはプリントサーバ１０５、ネットワーク１０４を介して画像印刷ユニット１０１にもたらされる。
【００１０】
図２は、図１に示した画像形成装置の制御構成を説明するブロック図である。
図２において、２０１は、画像印刷ユニット１０１に含まれる画像形成コントローラを示す。１０４はネットワークを示し、本実施例ではＬＡＮ（Ｌｏｃａｌ  Ａｒｅａ  Ｎｅｔｗｏｒｋ）を想定している（以下ＬＡＮと表記する）。ＬＡＮ１０４は、図１のプリントサーバ１０５、クライアントＰＣ１０６と接続されＬＡＮ通信を行う。
ＬＡＮ制御部２０３は、ＬＡＮ１０４とのＬＡＮ通信を制御する。すなわち、ＬＡＮ１０４から受信入力された画像データ（例えばＰＤＬデータ）を受信したり、システム内の各種画像データや装置情報などを、ＬＡＮ１０４を介して送信したりする。
操作部２０５は、ユーザーが各種の操作を行うための操作パネル、及び操作情報を表示するための表示器を備えたユーザーインターフェースである。ＣＰＵ部２０６は、画像形成コントローラ２０１の各部を制御する処理部である。また、ＣＰＵ部２０６は、ＬＡＮ１０４から受信入力された画像データ（例えばＰＤＬデータ）を解読し、ビットマップデータに展開する。
【００１１】
メモリ部２０７は、本実施例装置ではＣＰＵ部２０６がアクセス可能な記憶装置であり、各種の制御を行うためのプログラムを格納したプログラムメモリを兼ね備えている。また、画像形成時の画像の保存用としても、メモリ部２０７は使用される。メモリ部２０７は、例えばＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）やＨＤＤ（Ｈａｒｄ  Ｄｉｓｋ  Ｄｒｉｖｅ）等で構成される。
【００１２】
印刷画像処理部２０８は、ＣＰＵ部２０６で展開されたビットマップデータに対して、スクリーン処理など印刷するための画像処理を行い、印刷用データに変換する。機構プロセス制御部２０９は、例えば用紙などのシート上に画像の印刷を行う際に、図１の画像印刷ユニット１０１、フィニッシングユニット１０２を制御して、印刷、記録紙搬送制御を行う。画像印刷ユニット１０１での印刷処理、フィニッシングユニット１０２での記録紙排紙処理において、シート上への印刷制御、シートの搬送機構制御は、全て機構プロセス制御部２０９によって制御される。
電源制御部２１０は、例えばＣＰＵやＰＬＤ（Ｐｒｏｇｒａｍｍａｂｌｅ  Ｌｏｇｉｃ  Ｄｅｖｉｃｅ）等で構成される。電源制御部２１０は、ＣＰＵ部２０６が通電されていない時には図１に不図示の電源のＯＮ、ＯＦＦの制御を行う。また電源制御部２１０は、ＣＰＵ部２０６が通電されている時には、ＣＰＵ部２０６が電源制御部２１０を制御することによって、各ユニットへの電源ＯＮ、ＯＦＦの制御を行う。また、電源制御部２１０は、ＣＰＵにてプログラムを実行することによって各電源を制御してもよいし、ＰＬＤにてハードロジックにてステートマシンが動作することによって各電源を制御してもよい。
【００１３】
図３は、本実施形態を示す画像形成システムの電源ブロックの構成を説明するブロック図である。以下電源系統の構成について説明する。
図３において、３０１は商用電源である。画像形成システムは、商用電源３０１から電源を受け内部で画像印刷ユニット１０１、フィニッシングユニット１０２などの各ユニットに電力を供給している。第１電源部３０２は、商用電源３０１と接続されており、電源ケーブルにより商用電源３０１と接続されている限り常時通電される。また第１電源部３０２は、商用電源３０１から受けた電源からＡＣ−ＤＣ変換し、例えば電位として３．３Ｖ、１．８Ｖ、１．２Ｖなどの比較的低いＤＣ電源を生成し、接続されている各ユニットに電源供給を行なう。
【００１４】
リレースイッチで構成されるスイッチ３０３は、ユーザーがアクセス可能な主電源スイッチである。スイッチ３０４は、ユーザーによりスイッチ３０３がＯＦＦされた場合に、電源制御部２１０に電力を供給し続けるためのスイッチである。ユーザーによりスイッチ３０３がＯＦＦされると、ＣＰＵ部２０６が電源制御部２１０経由でスイッチ３０３のＯＦＦを検知し、ＣＰＵ部２０６上で動作するソフトウェアがシャットダウン処理を開始する。ＣＰＵ部２０６上で動作するソフトウェアがシャットダウン処理を終了した後、電源制御部２１０がスイッチ３０４をＯＦＦする。これにより、スイッチ３０３とスイッチ３０４が共にＯＦＦされ第１電源部３０２からの電源供給を遮断する。
【００１５】
第２電源部３０６は、スイッチ３０５を介して商用電源３０１と接続される。電源制御部２１０がＣＰＵ部２０６上で動作するソフトウェアの制御に応じて、スイッチ３０５のＯＮ、ＯＦＦを行うことで、第２電源部３０６に通電される。また第２電源部３０６は、商用電源３０１から受けた電源からＡＣ−ＤＣ変換し、例えば２４Ｖなどの比較的高いＤＣ電源を生成し、接続されている各ユニットに電源供給を行なう。
【００１６】
第３電源部３１０は、第２電源部３０６と接続され、第２電源部３０６から受けた電源からＤＣ−ＤＣ変換し、例えば１２Ｖ、５Ｖ、３．３Ｖ、１．８Ｖ、１．２Ｖなどの比較的低い電源を生成し、接続されている各ユニットに電源供給を行なう。
電源制御部２１０は、スイッチ３０４、スイッチ３０５、スイッチ３０７、スイッチ３１１のＯＮ、ＯＦＦの制御を行い、第１電源部３０２からの電源供給と第２電源部３０６からの電源供給と第３電源部３１０からの電源供給の制御を行っている。
第１電源監視部３０８は、第１電源部３０２の電源状態を監視し、第２電源監視部３０９は、第３電源部３１０の電源状態を監視している。ＣＰＵ部２０６は、スイッチ３０３を介し、第１電源部３０２に接続される。ＣＰＵ部２０６は省電力モード時には、動作クロックを止めるなどを行い、電力消費を抑える機能を有する。ＬＡＮ制御部２０３は、スイッチ３０３、スイッチ３０７を介して第１電源部３０２に接続される。
【００１７】
画像形成システムの電源ＯＦＦの状態から、ユーザーによりスイッチ３０３がＯＮされた場合、第１電源部３０２からスイッチ３０３を介して、電源制御部２１０、ＣＰＵ部２０６の一部、メモリ部２０７の一部へ電力が供給される。その後、第１電源監視部３０８において、電源が安定したことを検知した場合には、第１電源監視部３０８から電源制御部２１０に対して、パワーグッド信号が出力される。
【００１８】
電源制御部２１０は、第１電源監視部３０８からのパワーグッド信号を受け、スイッチ３０４、スイッチ３０５、スイッチ３０７をＯＮする。それにより、第１電源部３０２からＬＡＮ制御部２０３に電力が供給される。また、第２電源部３０６から第３電源部３１０へ電力が供給され、さらに第３電源部３１０から、ＣＰＵ部２０６、メモリ部２０７、操作部２０５、印刷画像処理部２０８、機構プロセス制御部２０９の一部へ電力が供給される。
【００１９】
その後、第２電源監視部３０９において、電源が安定したことを検知した場合には、第２電源監視部３０９から電源制御部２１０に対して、パワーグッド信号が出力される。電源制御部２１０は、第２電源監視部３０９からのパワーグッド信号を受け、スイッチ３１１をＯＮする。それにより、第２電源部３０６からスイッチ３１１を介して機構プロセス制御部２０９へ電力が供給される。  以上の動作により、画像形成システムに電力が供給され、電源ＯＮの状態となる。
【００２０】
ここで、第１電源監視部３０８、第２電源監視部３０９は、それぞれ第１電源部３０２、第３電源部３１０の電圧を監視しており、電圧が閾値を超えて印加されたことを検知すると、電源制御部２１０に対し、パワーグッド信号を出力する。また、電圧が印加された状態から、閾値を下回った場合には、パワーグッド信号を出力しない。
【００２１】
また、画像形成システムは一定時間印刷ジョブなどを行わなかった場合には、省電力モードへ移行する。ＣＰＵ部２０６は不図示のタイマーで一定時間印刷ジョブを検知しなかった場合には、省電力モードへの移行を開始する。省電力モードへ移行するため、ＣＰＵ部２０６は電源制御部２１０に対しスイッチ３０５、スイッチ３１１をＯＦＦする制御を行う。電源制御部２１０は、ＣＰＵ部２０６からの指示を受け、スイッチ３０５をＯＦＦする。スイッチ３０５、スイッチ３１１をＯＦＦすることで、第２電源部３０６、第３電源部３１０から電力が遮断され、省電力モードとなる。
【００２２】
また、電源制御部２１０は、スイッチ３０７を独立して制御が可能である。そのため、省電力モード時にＬＡＮ１０４から印刷ジョブなどを受信して、省電力モードから起動したい場合には、ＬＡＮ制御部２０３への電力を供給しておくことで、ＬＡＮ１０４から印刷ジョブを受け起動することが可能となる。
ＬＡＮ制御部２０３は、ＬＡＮ１０４から印刷ジョブを受けた場合、電源制御部２１０に対して、起動するための通知を行う。すると、電源制御部２１０は、ＣＰＵ部２０６に対して、起動するための通知を行う。すると、ＣＰＵ部２０６が起動し、印刷ジョブがあることを検知して、印刷ジョブを実行する。ユーザーにより印刷ジョブが投入された場合、ＣＰＵ部２０６は印刷ジョブを検知し印刷を行うため、電源制御部２１０に対しスイッチ３０５とスイッチ３１１をＯＮする制御を行う。電源制御部２１０は、ＣＰＵ部２０６からの指示を受け、スイッチ３０５とスイッチ３１１をＯＮする。スイッチ３０５をＯＮすることで、第２電源部３０６から印刷画像処理部２０８、さらにスイッチ３１１をＯＮすることで機構プロセス制御部２０９に電力が供給される。
【００２３】
機構プロセス制御部２０９は、それぞれスイッチ３１１を介して第２電源部３０６に接続される。電源制御部２１０は、ＣＰＵ部２０６に制御され、スイッチ３１１を独立して制御が可能である。印刷を行っていない場合には、ＣＰＵ部２０６が機構プロセス制御部２０９をＯＦＦするため、電源制御部２１０が、スイッチ３１１をＯＦＦすることにより、余分な電力消費を削減する。このように、余分な電力消費を削減するためにそれぞれのスイッチを独立して制御を行うことが可能である。
【００２４】
図４は、本実施形態を示す画像形成装置の制御方法を説明するフローチャートである。本例は、ユーザーによりスイッチ３０３がＯＮされたことにより、電源制御部２１０が画像処理システムの電源制御を行って、画像形成システムを電源ＯＦＦの状態から、画像形成システム全体の電源をＯＮするフローである。
ユーザーによりスイッチ３０３がＯＮされると、第１電源部３０２からスイッチ３０３を介して、電源制御部２１０、ＣＰＵ部２０６の一部、メモリ部２０７の一部へ電力が供給されはじめる。ここで、第１電源監視部３０８は、第１電源部３０２の出力電圧を監視している。電源制御部２１０に必要な電力が供給され、電源制御部２１０自身のリセットが解除されると図４の処理フローが開始される。なお、各ステップは、電源制御部２１０が記憶された制御プログラムを実行することで実現される。
【００２５】
Ｓ４０１において、第１電源監視部３０８が、第１電源部３０２の電源供給が安定したことを検知した場合には、第１電源監視部３０８から電源制御部２１０に対して、パワーグッド信号が出力される。電源制御部２１０は、第１電源監視部３０８からのパワーグッド信号を受け、第１電源部３０２が正常に起動したことを判断する。電源制御部２１０が、第１電源部３０２は正常に起動したことを判断した場合（Ｓ４０１／Ｙｅｓ）、Ｓ４０２に処理を進める。
【００２６】
一方、電源制御部２１０が、第１電源部３０２は正常に起動していないと判断した場合（Ｓ４０１／Ｎｏ）、Ｓ４０１に処理を進める。Ｓ４０２において、電源制御部２１０は、スイッチ３０４、スイッチ３０５、スイッチ３０７をＯＮする。スイッチ３０７がＯＮされることにより、第１電源部３０２からＬＡＮ制御部２０３に電力が供給される。
また、スイッチ３０５がＯＮされることにより、商用電源３０１から第２電源部３０６に電力が供給される。さらに、第２電源部３０６から第３電源部３１０へ電力が供給され、さらに第３電源部３１０から、ＣＰＵ部２０６、メモリ部２０７、操作部２０５、印刷画像処理部２０８、機構プロセス制御部２０９の一部へ電力が供給される。ここで、第２電源監視部３０９は、第３電源部３１０の出力電圧を監視している。
【００２７】
Ｓ４０３において、第２電源監視部３０９は、第３電源部３１０の出力電圧が閾値を超えて印加されたことを検知すると、電源制御部２１０に対し、パワーグッド信号を出力する。電源制御部２１０は、第２電源監視部３０９からのパワーグッド信号を受け、第３電源部３１０が正常に起動したことを判断する。
【００２８】
また、電源制御部２１０は、図示しないタイマーを持ち、スイッチ３０５をＯＮしてから、第２電源監視部３０９からのパワーグッド信号を受け取るまでの時間を計測している。スイッチ３０５をＯＮしてから一定時間までに第２電源監視部５０９からのパワーグッド信号を受け取れなかった場合は、第２電源部３０６か第３電源部３１０に異常が発生していると判断する。
【００２９】
ここで、電源制御部２１０が、第３電源部３１０は正常に起動したことを判断した場合（Ｓ４０３／Ｙｅｓ）、Ｓ４０４に処理を進める。また、電源制御部２１０が、第３電源部３１０は正常に起動していないと判断した場合（Ｓ４０１／Ｎｏ）、Ｓ４０７に処理を進める。
Ｓ４０４において、電源制御部２１０は、スイッチ３１１をＯＮする。スイッチ３１１がＯＮされることにより、第２電源部３０６から機構プロセス制御部２０９に電力が供給され、画像形成システムが電源ＯＮの状態となる。これにより、ユーザーが印刷などの機能を使用することが可能となる。
Ｓ４０５において、電源制御部２１０は、第１電源監視部３０８と第２電源監視部３０９からのパワーグッド信号により、第１電源部３０２、第２電源部３０６、第３電源部３１０に異常がないか監視する。
電源制御部２１０が、第１電源部３０２、第２電源部３０６、第３電源部３１０のいずれかに異常が発生していると判断した場合（Ｓ４０５／Ｙｅｓ）、Ｓ４０６に処理を進める。
【００３０】
Ｓ４０６において、電源制御部２１０は、第１電源監視部３０８と第２電源監視部３０９からのパワーグッド信号により、Ｓ４０５で検知した電源異常が、第２電源部３０６、第３電源部３１０のみの電源異常か、あるいは、第１電源部３０２にも異常が発生したか、を判断する。
ここで、電源制御部２１０が検知した電源異常が、第２電源部３０６、第３電源部３１０のみの電源異常である場合（Ｓ４０６／Ｙｅｓ）、電源制御部２１０は、検知した電源異常が自動復帰不可能な電源異常であると判断し、Ｓ４０７に処理を進める。
また、電源制御部２１０が検知した電源異常が、第２電源部３０６、第３電源部３１０のみならず第１電源部３０２においても異常があると判断した場合（Ｓ４０６／Ｎｏ）、電源制御部２１０は、検知した電源異常が自動復帰可能な電源異常であると判断し、Ｓ４１１に処理を進める。
【００３１】
Ｓ４０７において、電源制御部２１０は、スイッチ３０５をＯＦＦして第２電源部３０６、第３電源部３１０をＯＦＦする。
一方、Ｓ４０８において、電源制御部２１０は、スイッチ３０５をＯＦＦ（オフ状態）して第２電源部３０６、第３電源部３１０の電源供給状態をＯＦＦする。
Ｓ４０９において、電源制御部２１０は、第２電源部３０６と第３電源部３１０の電荷が抜けるまでの間、電源ＯＦＦを維持する。例えば１秒などをタイマーで計測し、スイッチ３０５をＯＦＦのまま維持する。電源制御部２１０は、電源ＯＦＦ時間経過後、スイッチ３０５をＯＮし、再度、第２電源部３０６と第３電源部３１０をＯＮ（オン状態）する。
【００３２】
そして、Ｓ４１０において、電源制御部２１０は、一度目の電源ＯＮと同様に、スイッチ３０５をＯＮしてから、第２電源監視部３０９からのパワーグッド信号を受け取るまでの時間を計測する。ここで、電源制御部２１０が、第２電源監視部３０９からのパワーグッド信号を受け、第２電源部３０６、第３電源部３１０が正常に起動したと判断した場合（Ｓ４１０／Ｙｅｓ）、Ｓ４０４に処理を進める。
【００３３】
また、電源制御部２１０が、スイッチ３０５をＯＮしてから一定時間までに第２電源監視部３０９からのパワーグッド信号を受け取れなかった場合は、第２電源部３０６、第３電源部３１０に異常が発生していて、かつ自動復帰が不可能な電源異常であると判断し（Ｓ４１０／ＮＯ）、Ｓ４０７に処理を進める。
そして、Ｓ４１１において、電源制御部２１０は、スイッチ３０４、スイッチ３０５、スイッチ３０７、スイッチ３１１をＯＦＦし、Ｓ４０１に処理を進める。
電源に異常が発生する原因はいくつかあり、自動復帰が可能なケースと不可能なケースがある。
例えば自動復帰が可能なケースとしては、商用電源３０１が安定して供給できない期間が発生するケースである。商用電源３０１が安定して供給できない期間において、画像形成システムの電源ＯＮ時や省電力モードからの起動時に生じる突入電流が流れることで、電源に異常が起こる場合がある。このとき、商用電源３０１では、瞬間的な電圧降下、電源投入時の電圧の過渡状態などでは、後段に接続された機器に対して、安定して電力を供給することができない。
【００３４】
このような商用電源３０１の状態において、画像形成システムの突入電流により、画像形成システム内部の電源回路において、過電流保護やＵＶＬＯなどの保護機能が働き、電源回路の出力が停止したままとなってしまうことがある。ここで、電源回路とは第１電源部３０２、第２電源部３０６、第３電源部３１０などが挙げられる。そのため、出力が停止したままとなってしまい、自動復帰させるためには、Ｓ４０８、Ｓ４０９にて行なう電源回路の電源を入れ直す必要がある。
以上の方法により、画像形成装置において電源異常発生時に自動復帰が可能な異常時には自動復帰が可能で、かつ自動復帰が不可能な異常時には不要な自動復帰処理によって無意味なＯＦＦ／ＯＮ動作を繰り返えすことを防ぐことが可能となる。
【００３５】
〔第２実施形態〕
なお、第１実施形態において説明をした構成図や、フローチャートの図に関する説明は省略することとする。第２実施形態と第１実施形態との違いは、図４のフローであり、具体的には電源異常が自動復帰可能な電源異常か否かを判断する方法が異なる。
次に図４の代わりに図５に示すフローチャートを用いて、第２実施形態の電源制御の説明を行なう。また、Ｓ４０１〜Ｓ４０５とＳ４０７〜Ｓ４１１は第１実施形態と同様である
【００３６】
図５は、本実施形態を示す画像形成装置の制御方法を説明するフローチャートである。本例は、ユーザーによりスイッチ３０３がＯＮされたことにより、電源制御部２１０が画像処理システムの電源制御を行って、画像形成システムを電源ＯＦＦの状態から、画像形成システム全体の電源をＯＮするフローである。
Ｓ５０１において、第１電源監視部３０８と第２電源監視部３０９からのパワーグッド信号が遷移した場合、その遷移パターンを読み取り、内部の一時記憶部（不図示）に一時的に記憶する。この一時的に記憶した遷移パターンは、電源制御部２１０がリセットされると消去される。
電源制御部２１０は、内部の記憶部（不図示）に各種電源異常時の第１電源監視部３０８と第２電源監視部３０９からのパワーグッド信号の遷移パターンとその遷移パターンの電源異常が自動復帰可能か否かを、予め記憶している。電源制御部２１０は、読み取ったパワーグッド信号の遷移パターンと、予め記憶されている自動復帰可能なパターンと比較して電源異常が自動復帰不可能な電源異常かを判断する。
【００３７】
ここで、電源制御部２１０が検知した電源異常が、自動復帰不可能な電源異常であると判定した場合（Ｓ５０１／Ｎｏ）、Ｓ５０２に処理を進める。電源制御部２１０が検知した電源異常が、自動復帰可能な電源異常であると判定した場合（Ｓ５０１／Ｙｅｓ）、Ｓ４１１に処理を進める。
【００３８】
Ｓ５０２において、電源制御部２１０は、スイッチ３０５をＯＦＦして第２電源部３０６、第３電源部３１０をＯＦＦする。Ｓ５０３において、電源制御部２１０は、第２電源部３０６と第３電源部３１０の電荷が抜けるまでの間、電源ＯＦＦを維持する。例えば１秒などをタイマーで計測し、スイッチ３０５をＯＦＦのまま維持する。電源制御部２１０は、電源ＯＦＦ時間経過後、スイッチ３０５をＯＮし、再度、第２電源部３０６と第３電源部３１０をＯＮする。
【００３９】
Ｓ５０４において、電源制御部２１０は、一度目の電源ＯＮと同様に、スイッチ３０５をＯＮしてから、第２電源監視部３０９からのパワーグッド信号を受け取るまでの時間を計測する。電源制御部２１０が、第２電源監視部３０９からのパワーグッド信号を受け、第２電源部３０６、第３電源部３１０が正常に起動したと判断した場合（Ｓ５０４／Ｙｅｓ）、Ｓ５０５に処理を進める。
電源制御部２１０が、スイッチ３０５をＯＮしてから一定時間までに第２電源監視部３０９からのパワーグッド信号を受け取れなかった場合は、第２電源部３０６、第３電源部３１０に異常が発生していて、かつ自動復帰が不可能な電源異常であると判断し（Ｓ５０４／ＮＯ）、Ｓ４０７に処理を進める。
【００４０】
Ｓ５０５において、電源制御部２１０は、Ｓ５０１にて一時的に記憶したパワーグッド信号の遷移パターンを内部の記憶部（不図示）に、新たな自動復帰可能な遷移パターンとして記憶する。ここで、遷移パターンとは、第２電源部３０６の電源状態を監視して得られる第２電源の電位の変化（監視状態の変化）を特定する遷移パターンである。
以上の方法により、画像形成装置において電源異常発生時に自動復帰が可能な異常時には自動復帰が可能で、自動復帰が不可能な異常時には不要な自動復帰処理によって無意味なＯＦＦ／ＯＮ動作を繰り返えすことを防ぐことが可能である。また同時に自動復帰が可能か否かが不明な異常時には１回だけ自動復帰を試みることによって自動復帰が可能か否かを判断することが可能である。
【００４１】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４２】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４３】
１０２      フィニッシングユニット
１０３      スキャナユニット
１０４      ＬＡＮ
１０５      プリントサーバ
１０６      クライアントＰＣ
【図１】
2015104842.tif 000003
【図２】
2015104842.tif 000004
【図３】
2015104842.tif 000005
【図４】
2015104842.tif 000006
【図５】
2015104842.tif 000007